(57)【要約】【課題】  遮熱や遮視等の各種機能を必要に応じて網戸に備えることができ、このとき、各種機能を備えたことでの網戸の厚みの増加を抑制でき、開口を通る人や物の衝突にて網戸が損傷することも回避でき、各種機能を外した状態の網戸が一般の網戸と外観上の違和感を生じさせないようにできる網戸を提供する【解決手段】  矩形枠状の網戸枠２で囲まれた枠内空間４にネット３を上記枠内空間４の屋内外方向の一方側に片寄らせて網戸枠２の内周に亙って支持させることで張設する。枠内空間４におけるネット３を張設した空間の残余空間を機能薄幕材用収納空間５とする。網戸１に各種機能を付加するシート状の機能薄幕材６をその幕面６ａとネット３のネット面３ａとを平行に対面させると共に、この機能薄幕材６を機能薄幕材用収納空間５内に着脱自在に装着する。【選択図】        図１
2007009654.tif 000002
【特許請求の範囲】
【請求項１】
矩形枠状の網戸枠で囲まれた枠内空間にネットを上記枠内空間の屋内外方向の一方側に片寄らせて網戸枠の内周に亙って支持させることで張設し、上記枠内空間におけるネットを張設した空間の残余空間を機能薄幕材用収納空間とし、網戸に各種機能を付加するシート状の機能薄幕材をその幕面とネットのネット面とを平行に対面させると共に、この機能薄幕材を機能薄幕材用収納空間内に着脱自在に装着したことを特徴とする網戸。
【請求項２】
機能薄幕材をネットで構成したことを特徴とする請求項１記載の網戸。
【請求項３】
機能薄幕材を透視不能または困難な幕材で構成したことを特徴とする請求項１記載の網戸。
【発明の詳細な説明】
【技術分野】
【０００１】
本発明は、網戸に関するものである。
【背景技術】
【０００２】
一般に建物の開口に設置される網戸は、通風機能や虫の侵入防止機能のみを有するもので、その他の機能は有するものではない。たとえば、一般の網戸には遮熱機能が無く、直射日光は遮熱機能の無い網戸を通ってそのまま室内に入射され、室内の温度上昇を引き起こすばかりか床面や壁面等の室内構成物を焼くなどして劣化を引き起こしてしまう。また、一般の網戸には遮視機能は無く、屋外からの視線は開口をそのまま通って室内に至って室内が覗かれてしまう。
【０００３】
上記網戸の欠点を補うべく、たとえば特許文献１にはルーバー付き網戸１´があり、ルーバー３０を網戸に装着したことで各種機能（遮熱機能や遮視機能）を付与したものがある。このルーバー付き網戸１´は、図９のように、矩形状の網戸枠２の屋内側の面に沿わせて支持させるようにネット３を張設し、多数のルーバー羽根３１を固定枠３２に取付けてルーバー３０を形成し、このルーバー３０を網戸１´の屋外側から網戸枠２の内周部に挿入して固定枠３２を網戸枠２にねじ止めすることで形成されている。
【０００４】
しかしながら、ルーバー３０は斜めに傾斜するルーバー羽根３１を備えるために比較的厚みを有するものとならざるをえず、このルーバー付き網戸１´は一般の網戸に比べて厚みを有するものとなってしまい、したがって、この網戸１´を建物の開口に設置するには、この網戸１´の設置に適した特別な開口枠を使用せざるを得ないといった問題があった。
【０００５】
また、上記ルーバー付き網戸１´では、比較的厚みを有するルーバー３０を網戸枠２から屋外側へできるだけ突出させないために、ネット３を網戸枠２の屋内側の面に沿わせて張設させており、つまりこのネット３はその全体が開口に露出された状態になっており、開口を通る人や物がネット３の周縁部に当たったり擦れたりすることで、ネット３を損傷させてしまうといった問題があった。なお、図９の網戸１´ではルーバー３０も網戸枠２から屋外側へ突出しており、ネット３と同様に、開口を通る人や物によるルーバー３０の損傷の恐れも有しているものである。更に言うと、このようにルーバー３０が網戸枠２から屋外側へ突設された上記網戸１´は、ルーバー３０の取付け有無によって網戸１´の厚み寸法に差が生じてしまうものであり、網戸１´を開口に収まり良く設置するのが困難になるといった問題もある。更に言うと、上記ルーバー付き網戸１´は比較的厚みを有するルーバー３０を網戸枠２から屋外側へ突出させないためには網戸枠２の厚みを厚く形成することも考えられるが、この場合、ルーバー３０を網戸枠２から取り外した際には網戸枠２の厚みが際立ってしまって一般の網戸と比べて違和感を生じさせる外観を呈することとなるといった問題もあった。
【特許文献１】特開２００２−２７６２６８号公報
【発明の開示】
【発明が解決しようとする課題】
【０００６】
本発明は上記の従来の問題点に鑑みて為したものであって、遮熱や遮視等の各種機能を必要に応じて網戸に備えることができ、このとき、各種機能を備えたことでの網戸の厚みの増加を抑制でき、開口を通る人や物の衝突にて網戸が損傷することも回避でき、各種機能を外した状態の網戸が一般の網戸と外観上の違和感を生じさせないようにできる網戸を提供することを課題とするものである。
【課題を解決するための手段】
【０００７】
上記課題を解決するために本発明の請求項１に係る網戸は、矩形枠状の網戸枠２で囲まれた枠内空間４にネット３を上記枠内空間４の屋内外方向の一方側に片寄らせて網戸枠２の内周に亙って支持させることで張設し、上記枠内空間４におけるネット３を張設した空間の残余空間を機能薄幕材用収納空間５とし、網戸１に各種機能を付加するシート状の機能薄幕材６をその幕面６ａとネット３のネット面３ａとを平行に対面させると共に、この機能薄幕材６を機能薄幕材用収納空間５内に着脱自在に装着したことを特徴とする。
【０００８】
これによると、網戸枠２に装着した機能薄幕材６によって各種機能を必要に応じて網戸１に付加させることができるのであり、また、この機能薄幕材６はシート状であって網戸枠２に装着した際には機能薄幕材６の幕面６ａとネット３のネット面３ａとが平行に対面されるので、機能薄幕材６を機能薄幕材用収納空間５内に留めるように収納できると共に網戸１の厚みを一般の網戸と略変わらない程度に薄くできるのであり、一般の網戸を取付ける一般の開口枠に対しても各種機能を付加した網戸１を取付可能にできると共に、機能薄幕材６を外した網戸１も一般の網戸と略変わらない外観にできて外観上の違和感を回避できるものであり、また、この各種機能を付加した網戸１は上述のように機能薄幕材６は勿論、ネット３も網戸枠２で囲まれた枠内空間４内に収納されて配設されており、つまりネット３や機能薄幕材６の周縁が網戸枠２で保護されたものであり、ネット３や機能薄幕材６の周縁部が開口１７を通る人や物が当たったり擦れたりすることで網戸１が損傷してしまうことをも回避できる。
【０００９】
また、請求項２に係る網戸は、請求項１において、機能薄幕材６をネット７で構成したことを特徴とする。これによると、二重のネット３，７を有する網戸１にでき、つまり、各ネット３，７を構成する細い線材が開口１７を占める割合を増やすことができて直射日光の室内への入射具合を弱めることができるから、網戸１に遮熱機能を付与することができるのである。
【００１０】
また、請求項３に係る網戸は、請求項１において、機能薄幕材６を透視不能または困難な幕材８で構成したことを特徴とする。これによると、機能薄幕材６を構成する透視不能または困難な幕材８によって網戸１に遮視機能を付与することができる。
【発明の効果】
【００１１】
本発明は、網戸枠に着脱自在に装着した機能薄幕材によって各種機能を必要に応じて網戸に付加させることができるといったものであり、そして、この機能薄幕材はシート状であって網戸枠に装着した際には機能薄幕材の幕面とネットのネット面とが平行に対面されるので、機能薄幕材を機能薄幕材用収納空間内に留めるように収納できると共に網戸の厚みを一般の網戸と略変わらない程度に薄くできるのであって、一般の網戸を設置する一般の開口枠に対しても各種機能を付加した網戸を取付可能にできると共に、機能薄幕材を外した網戸も一般の網戸と略変わらない外観にできて外観上の違和感を回避できるといった利点があり、また、この各種機能を付加した網戸はネットや機能薄幕材が網戸枠で囲まれた枠内空間内に収納されて配設されており、つまりネットや機能薄幕材の周縁が網戸枠で保護されて、開口を通る人や物がネットや機能薄幕材の周縁部に当たったり擦れたりすることで網戸が損傷することを回避できるといった利点も有する。
【発明を実施するための最良の形態】
【００１２】
以下、本発明を添付図面に示す実施形態に基いて説明する。
【００１３】
図１乃至図５に本発明の実施の形態の例を示す。本例の網戸１は、図１及び２のように、網戸枠２にネット３を張設してなる網戸本体１０と、この網戸本体１０に着脱自在に装着して網戸１に各種機能を適宜付加する機能薄幕材６とで構成されている。網戸本体１０の網戸枠２は上枠２ａ、下枠２ｂ及び左右の縦枠２ｃ，２ｄで矩形状に枠組みされて形成されている。ネット３は矩形枠状の網戸枠２で囲まれた枠内空間４の屋内外方向の一方側に片寄らせて網戸枠２の内周に亙って支持させることで張設されている。本例ではネット３は、そのネット面３ａが網戸枠２の屋外端面上に位置し、その周縁部が枠内空間４で支持、保護された状態で網戸枠２に張設されている。矩形状の網戸枠２にて囲まれた枠内空間４におけるネット３を張設した空間の残余空間は機能薄幕材用収納空間５を構成しており、この機能薄幕材用収納空間５内に留まるように機能薄幕材６が着脱自在に装着されるようになっている。
【００１４】
機能薄幕材６は、上枠１１ａ、下枠１１ｂ及び左右の縦枠１１ｃ，１１ｄを矩形状に枠組みした周枠１１にその周縁部が保護、支持された状態で張設されていて、扱い易いようにユニット化されている。なお、本例の機能薄幕材６はネット７で構成されている。機能薄幕材６を機能薄幕材用収納空間５内に装着する際には、機能薄幕材６の幕面６ａが網戸本体１０のネット３のネット面３ａと平行に対面する位置関係を有するように行われる。本例では機能薄幕材６を機能薄幕材用収納空間５内に装着した際には、機能薄幕材６の幕面６ａと網戸本体１０のネット３のネット面３ａとの間には微少隙間ｓが形成されるようになっているが、この微少隙間ｓは無くてもよく、つまり幕面６ａとネット面３ａとが面接触するようにされていても構わない。
【００１５】
ここで、網戸本体１０への機能薄幕材６の装着は、網戸本体１０の網戸枠２の内周部に設けた被係合部に、機能薄幕材６の周枠１１に設けた係合部を着脱自在に係合させることで行われている。具体的に、網戸枠２の被係合部は、上枠２ａ及び左右の縦枠２ｃ，２ｄの屋内側端部から枠内方向へ突設された突片１２と、下枠２ｂに設けた挿入孔１３とで構成されている。また、周枠１１の係合部は、上枠１１ａ及び左右の縦枠１１ｃ，１１ｄから枠外方向へ付勢されて突没自在に突設された突没突起１４と、下枠１１ｂから枠外方向に突設した挿入突起１５とで構成されている。そして、網戸本体１０への機能薄幕材６の取付けは、機能薄幕材６の周枠１１の挿入突起１５を網戸本体１０の網戸枠２の挿入孔１３に屋内側斜め上方から挿入し、挿入孔１３に挿入した挿入突起１５を中心に機能薄幕材６を屋外側に回動し、周枠１１の突没突起１４を網戸枠２の突片１２に乗り越えさせて係止するといったようにワンタッチ操作で可能にされている。詳しくは、周枠１１の突没突起１４の突出先端には屋内側へ行く程枠外方向に位置するような傾斜面１４ａが形成され、傾斜面１４ａに網戸枠２の突片１２を当接してスライドさせることで突没突起１４を徐々に周枠１１内に没入可能にされており、周枠１１の突没突起１４を網戸枠２の突片１２に乗り越えさせる操作が簡易にされている。なお、機能薄幕材６を網戸枠２から取り外すには、図示はしないが突没突起１４を周枠１１内に没入させる釦が周枠１１に設けられ、この釦を操作して突没突起１４を周枠１１内に没入させて突没突起１４と突片１２との係止を解除することで行われる。
【００１６】
上記構成の網戸１にあっては、ネット７で構成した機能薄幕材６を網戸本体１０に装着したことで、二重のネット３，７を有する網戸１にできたものである。これによると、この網戸１で建物の開口１７を閉じたときには、建物の開口１７を占める各ネット３，７を構成する細い線材の割合を増やすことができて直射日光の室内への入射具合を弱めることができ、つまり網戸１に遮熱機能を付与することができたものである。このように機能薄幕材６を網戸本体１０に装着することで網戸１に各種機能を備えることができたものであるが、この機能薄幕材６はシート状であってその厚みは極力薄くされ、また機能薄幕材６はその幕面６ａとネット３のネット面３ａとが平行に対面されて機能薄幕材用収納空間５内に留まれるように装着可能であるので、機能薄幕材６の着脱の有無にかかわらず網戸１の厚みは一般の網戸と略変わらない程度に薄くできたものである。しかして、本例の網戸１は、一般の網戸を設置する一般の開口枠に対しても取付可能にできたものであり、また、機能薄幕材６を外した状態の網戸１（すなわち網戸本体１０）も一般の網戸と略変わらない外観にできたものであり、一般の網戸に見慣れた人にとっても外観の違和感を回避できたものである。更に言うと、本例の網戸１はネット３や機能薄幕材６が網戸枠２で囲まれた枠内空間４内に留まるように配設されており、つまりネット３や機能薄幕材６の周縁部が網戸枠２で保護されたものとなっており、建物の開口１７を通る人や物がネット３や機能薄幕材６の周縁部に当たったり擦れたりすることで網戸１が損傷してしまうことをも回避されているのである。
【００１７】
上記網戸１はたとえば図３乃至図５のように建物の外壁１６の開口１７に開閉自在に設置される。建物の外壁１６の開口１７に取付けた本例の開口枠１８は、屋内側から窓サッシ１９、網戸１を順に設置させており、大別して開口１７に対応した開口域２０と、開口１７の一側端よりも側方にずれた戸袋域２１とを有して構成されている。具体的に、この開口枠１８は上枠１８ａ、下枠１８及び左右の縦枠１８ｃ，１８ｄで枠組みがされた金属製の枠体であり、詳しくは上枠１８ａ及び下枠１８は開口域２０及び戸袋域２１に亙って形成され、左右の縦枠１８ｃ，１８ｄは開口域２０の両幅端部に位置して上枠１８ａと下枠１８とを連結するように立設され、開口域２０には戸袋域２１に比べて屋内側へ突出させた開口沿枠部２２が形成されている。そして、この開口枠１８は、開口沿枠部２２と左右の縦枠１８ｃ，１８ｄを外壁１６の開口１７内に挿入してその開口内面に沿わせると共に戸袋域２１を外壁１６の外面に沿わせた状態で、釘やネジ等の固定具２４にて外壁１６に固定されて配設されている。
【００１８】
ここで、開口枠１８の上枠１８ａ及び下枠１８ｂにはそれぞれ、屋内側から順に、窓サッシ１９が走行自在に取付けられる窓サッシ走行レール２５、網戸１が走行自在に取付けられる網戸走行レール２６が設けられている。窓サッシ走行レール２５は、上枠１８ａ及び下枠１８ｂの各長手方向の端部間に亙る一直線状のレールであって、開口域２０に位置する開閉レール部２５ａと戸袋域２１に位置する収納レール部２５ｂとを有している。本例では２枚の引違い状の窓サッシ１９で開口１７を閉じるようにしたものであり、窓サッシ走行レール２５は屋内外方向に２列並設されている。窓サッシ１９は窓サッシ枠２７にガラス板のような透光板２８を取り付けてなるサッシ引戸であり、本例では透光板２８を２重に積層した２重ガラス構造が採用されている。各窓サッシ走行レール２５の開閉レール部２５ａにそれぞれ位置させた各窓サッシ１９をその端部同士のみを重複させる位置関係にすることで開口１７を全幅に亙って閉塞できるのであり、各窓サッシ１９を各窓サッシ走行レール２５の収納レール部２５ｂに移動させることで各窓サッシ１９を戸袋域２１に収納させて開口１７を全幅に亙って開放できるようにされている。
【００１９】
また、網戸走行レール２６は、上枠１８ａ及び下枠１８ｂの開口域２０に設けた一直線状のレールであって、その端部が戸袋域２１に設けた網戸戸袋部２９に至っている。なお、本例の網戸１は上述のように一般の網戸と略変わらない厚みを有することから網戸走行レール２６は一般の網戸も取付可能なものである。本例では２枚の網戸１を突き合せて連結することで開口１７を全幅に亙って閉じるようにしたものであって網戸走行レール２６は１列設けられており、網戸戸袋部２９では戸袋域２１に達して網戸走行レール２６から外れた２枚の網戸１を屋内外方向に積層した状態で収納できるようにされており、網戸戸袋部２９に２枚の網戸１を収納したときには開口１７を全幅に亙って開放できるようにされている。詳しくは網戸戸袋部２９は開口枠１８の上枠１８ａ及び下枠１８ｂから枠内に向けてフランジ壁２３を突設して囲い込むようにしたことで形成されている。
【００２０】
上記構成の開口枠１８に本例の網戸１を設置した建物の開口１７にあっては、開口１７を全幅に亙って網戸１で閉じることができ、開口１７の全幅に亙って網戸１に機能薄幕材６の各種機能を発揮させることができる。本例では機能薄幕材６がネット７であるので開口１７の全幅に亙って遮熱機能を発揮させることができる。ここで、開口１７の遮熱機能は太陽光線の比較的強い夏季において特に必要となるものであり、夏季の開口１７では室内に通気を確保するために窓サッシ１９を開口枠１８の戸袋域２１に収納させて開口１７を全幅に亙って開放し、虫の侵入防止を図って開口１７を全幅に亙って網戸１で閉じた状態にされることが多いのであり、この状態において開口１７を全幅に亙って閉じた網戸１によって開口１７の全幅に亙って遮熱機能を発揮できるために、開口での通気機能や虫の侵入防止機能を確保しつつ遮熱機能による直射日光の室内への入射を防止して、夏季における室内の快適性を有効に向上できるのである。一方、冬季のように太陽光線が弱く開口１７に遮熱機能を発揮させると室内が寒くなり過ぎる場合には、網戸１から機能薄幕材６を外すことで開口１７から遮熱機能のみを簡単に除去することができるから、冬季における部屋の快適性も簡単に確保することができる。ここで、機能薄幕材６の網戸本体１０への着脱はワンタッチ操作にて行い得るようにされているから、機能薄幕材６の網戸本体１０への着脱操作は簡易であって、気軽に網戸１への遮熱機能の付与または除去を行うことができる。また、建物の屋外に配設された網戸１は雨水が降りかかって汚れ易いものであり、網戸本体１０のネット３に加えて機能薄幕材６も汚れたり、ネット３と機能薄幕材６との間に塵等のゴミが溜まり易いものであるが、機能薄幕材６と網戸本体１０とは外して別個に清掃できるのであって清掃が簡単であり、そして上述のように機能薄幕材６の網戸本体１０への簡易な着脱操作が確保されているので、このような清掃も気軽に行うことができるのである。
【００２１】
図６乃至図８には本発明の実施の形態の他例を示す。本例の網戸１は図６及び図７のようにシート状の機能薄幕材６を透視不能または困難な幕材８で構成した例であって、その他の部位は先例をそのまま踏襲しているから先例と同様部位には同符合を付して説明を省くものとする。シート状の機能薄幕材６を構成する透視不能または困難な幕材８としては、本例では具体的には遮視スクリーン材が用いられている。しかして、この機能薄幕材６を網戸本体１０に装着した際には網戸１には遮視機能が備えられるのである。そして、図８のように先例と同様の開口枠１８にこの網戸１を設置した場合には、開口１７の全幅に亙って網戸１を閉じることで開口１７の全幅に亙って網戸１の遮視機能を発揮させることができるのであり、屋外から開口１７を通して室内が覗かれることを完全に無くすることができるのである。
【００２２】
なお、上記実施形態では、開口１７を全閉するのに２枚の網戸１や窓サッシ１９を用いているが、開口１７を全閉するのに用いる網戸１や窓サッシ１９の数は上記２枚に限定されず任意の枚数であってもよい。また、上記実施形態では、同一面上で突き合せて連結することで開口１７を全幅に亙って閉じるようにした網戸１が例示されたが、窓サッシ１９と同様に引違い状に開口１７を開閉できる網戸１であってもよく、この場合には、窓サッシ１９と同様に枚数に応じた数の網戸走行レール２６が開口枠１８の屋内外方向に並設されるのであり、窓サッシ走行レール２５と同様に網戸走行レール２６にも戸袋域２１に収納レール部を有するように形成するのが好ましい。また、上記実施形態では、機能薄幕材６を装着した網戸１を、開口１７の一側端に戸袋域２１を有した開口枠１８に対して設置したものを例示したが、開口１７の両側端にそれぞれ戸袋域２１を有した開口枠１８に対しても設置することは可能である。また、上記実施形態では、開口１７の全幅に亙って開閉できる開口枠１８に対して設置したものを例示したが、戸袋域２１を有さず、網戸１や窓サッシ１９が外壁１６の開口１７の片側半分のみを閉じることのできる通常の開口枠に対しても設置することは可能である。また、上記実施形態では、掃き出し窓に設置する網戸１を例示したが、腰窓に設置する網戸１であってもよく、更に言うと、上記実施形態では、引戸タイプの網戸１を例示したが、開口１７に蝶番を介して開閉自在に設置される開き戸タイプの網戸１であってもよい。
【図面の簡単な説明】
【００２３】
【図１】本発明の実施の形態の例の網戸の側断面図である。
【図２】同上の網戸の水平断面図である。
【図３】同上の網戸が設置された開口を示す水平断面図である。
【図４】同上の開口域での断面図である。
【図５】同上の戸袋域での断面図である。
【図６】本発明の実施の形態の他例の網戸の側断面図である。
【図７】同上の網戸の水平断面図である。
【図８】同上の網戸が設置された開口を示す水平断面図である。
【図９】従来技術の例の網戸の側断面図である。
【符号の説明】
【００２４】
１  網戸
２  網戸枠
３  ネット
３ａ  ネット面
４  枠内空間
５  機能薄幕材用収納空間
６  機能薄幕材
６ａ  幕面
７  ネット
８  幕材
【図１】
2007009654.tif 000003
【図２】
2007009654.tif 000004
【図３】
2007009654.tif 000005
【図４】
2007009654.tif 000006
【図５】
2007009654.tif 000007
【図６】
2007009654.tif 000008
【図７】
2007009654.tif 000009
【図８】
2007009654.tif 000010
【図９】
2007009654.tif 000011